(57)【要約】【課題】効果的にかつ確実にウィルスを不活性化できるフィルタ装置を提供することにある。【解決手段】  風通路外において、調湿素材を用いて形成されたバイオフィルタ１１の一部の領域が加湿容器１５内の加湿空間Ａ内に収容され、その加湿空間Ａ内のバイオフィルタ１１を加湿装置１６により加湿する。そして、駆動部１４によりローラ１３を回転駆動させることにより、バイオフィルタ１１の風通路１７に面する部分を移動させる。そうして、加湿されたバイオフィルタ１１の領域が連続して２つのローラ１２,１３間を周回することにより、バイオフィルタ１１全体に効率よく水分を補充する。【選択図】図１
2005342595.tif 000002
【特許請求の範囲】
【請求項１】
調湿素材を用いて形成され、少なくとも風通路(１７,２７,３７)に面する部分が移動可能なバイオフィルタ(１１,２１,３１)と、
上記バイオフィルタ(１１,２１,３１)の少なくとも風通路(１７,２７,３７)に面する部分を移動させる移動手段とを備えたことを特徴とするフィルタ装置。
【請求項２】
請求項１に記載のフィルタ装置において、
上記バイオフィルタ(１１,２１,３１)の少なくとも一部の領域を加湿する加湿手段(１６,２６,３６,５０)を備えたことを特徴とするフィルタ装置。
【請求項３】
請求項２に記載のフィルタ装置において、
上記移動手段は、上記バイオフィルタ(１１,２１,３１)の少なくとも一部の領域を上記風通路外と上記風通路(１７,２７,３７)との間を移動させるものであって、
上記加湿手段(１６,２６,３６,５０)は、上記風通路(１７,２７,３７)外において上記バイオフィルタ(１１,２１,３１)を加湿することを特徴とするフィルタ装置。
【請求項４】
請求項３に記載のフィルタ装置において、
上記風通路外に配置され、上記移動手段により移動する上記バイオフィルタ(１１,２１,３１)の少なくとも一部の領域が収容可能な加湿空間(Ａ,Ｂ)を備え、
上記加湿手段(１６,２６,３６,５０)は、上記加湿空間(Ａ,Ｂ)内の上記バイオフィルタ(１１,２１,３１)の少なくとも一部の領域を加湿することを特徴とするフィルタ装置。
【請求項５】
請求項１乃至４のいずれか１つに記載のフィルタ装置において、
上記移動手段は、少なくとも上記風通路(１７,２７,３７)を挟むように所定の間隔をあけて配置された略平行な２つのローラ(１２,１３,２２,２３,３２,３３)と、その２つのローラ(１２,１３,２２,２３,３２,３３)の少なくとも一方を回転駆動する駆動部(１４,２４,３４Ａ,３４Ｂ)とを備え、
上記バイオフィルタ(１１,２１,３１)は、上記２つのローラ(１２,１３,２２,２３,３２,３３)に巻回されたベルト形状をしていることを特徴とするフィルタ装置。
【発明の詳細な説明】
【技術分野】
【０００１】
この発明は、フィルタ装置に関し、特に空気調和機や空気清浄機等に使用されるフィルタ装置に関する。
【背景技術】
【０００２】
従来、空気調和機や空気清浄機等に使用されるフィルタ装置としては、空気中のウィルスを不活性化させるフィルタを用いたものがある。このフィルタ装置では、空気中のウィルスをフィルタに吸着させて、化学的に不活性化する技術を用いて吸着したウィルスを不活性化する。
【０００３】
しかしながら、上記フィルタ装置では、吸着によりフィルタにウィルスが一旦補足されても、乾燥すると再び空気中に放出されてしまったり、吸着している間に化学的に不活性化する技術を用いているので、不活性化するまでに時間がかかったりするため、効果的にウィルスを不活性化することができないという問題がある。
【０００４】
なお、上記従来の技術は、その技術分野において一般的に知られている周知の技術を用いたもので、本発明に関連する発明の先行技術文献を見出せず、特に先行技術文献情報については記載していない。
【発明の開示】
【発明が解決しようとする課題】
【０００５】
そこで、この発明の目的は、効果的にかつ確実にウィルスを不活性化できるフィルタ装置を提供することにある。
【課題を解決するための手段】
【０００６】
上記目的を達成するため、この発明のフィルタ装置は、調湿素材を用いて形成され、少なくとも風通路に面する部分が移動可能なバイオフィルタと、上記バイオフィルタの少なくとも風通路に面する部分を移動させる移動手段とを備えたことを特徴とする。ここで、「バイオフィルタ」とは、インフルエンザウィルス等のウィルスを不活性化する抗体を用いたものである。
【０００７】
上記構成のフィルタ装置によれば、調湿素材を用いて形成されたバイオフィルタは、上記移動手段を用いて少なくとも風通路に面する部分が移動可能な構成とすることによって、バイオフィルタの風通路に面する部分の抗体が免疫反応により消費されてウィルス不活性化の効果が低下したとき、バイオフィルタの風通路に面する部分側を移動させて、バイオフィルタの他の抗体が消費されていない新たな部分を風通路に面するように配置することができる。また、調湿素材に保たれた水分を含むバイオフィルタの風通路に面する部分が空気の通過により乾燥したときに、バイオフィルタの風通路に面していない他の部分を例えば加湿することにより、調湿素材に免疫反応に不可欠な水分が保たれた新たな部分を風通路に面するように配置することができる。したがって、効果的にかつ確実にウィルスを不活性化できる。
【０００８】
また、一実施形態のフィルタ装置は、上記バイオフィルタの少なくとも一部の領域を加湿する加湿手段を備えたことを特徴とする。
【０００９】
上記実施形態のフィルタ装置によれば、調湿素材に保たれた水分を含むバイオフィルタの風通路に面する部分が乾燥したときに、バイオフィルタ少なくとも一部の領域を上記加湿手段により加湿することにより、バイオフィルタの調湿素材に水分を補給することによって、免疫反応に不可欠な水分をバイオフィルタに保つことができ、より効果的にウィルスを不活性化できる。
【００１０】
また、一実施形態のフィルタ装置は、上記移動手段は、上記バイオフィルタの少なくとも一部の領域を上記風通路外と上記風通路との間を移動させるものであって、上記加湿手段は、上記風通路外において上記バイオフィルタを加湿することを特徴とする。
【００１１】
上記実施形態のフィルタ装置によれば、風通路外においてバイオフィルタの他の部分を上記加湿手段により加湿することにより、バイオフィルタの調湿素材に水分を補給する。そうして、上記バイオフィルタの風通路に面する部分が乾燥したときに、調湿素材に水分が保たれたバイオフィルタの部分を風通路外から風通路に面するように移動手段により移動させることによって、より効果的にウィルスを不活性化できる。
【００１２】
また、一実施形態のフィルタ装置は、上記風通路外に配置され、上記移動手段により移動する上記バイオフィルタの少なくとも一部の領域が収容可能な加湿空間を備え、上記加湿手段は、上記加湿空間内の上記バイオフィルタの少なくとも一部の領域に加湿することを特徴とする。
【００１３】
上記実施形態のフィルタ装置によれば、上記風通路外に配置された加湿空間に、上記バイオフィルタの少なくとも一部が収容され、その加湿空間内のバイオフィルタの部分を上記加湿手段により加湿することによって、加湿空間内に加湿空気が閉じ込められて高湿度の雰囲気が保たれるので、加湿空間内のバイオフィルタの領域を均一にかつ効果的にバイオフィルタを加湿することができる。
【００１４】
また、一実施形態のフィルタ装置は、上記移動手段は、少なくとも上記風通路を挟むように所定の間隔をあけて配置された略平行な２つのローラと、その２つのローラの少なくとも一方を回転駆動する駆動部とを備え、上記バイオフィルタは、上記２つのローラに巻回されたベルト形状をしていることを特徴とする。
【００１５】
上記実施形態のフィルタ装置によれば、ベルト形状のバイオフィルタは、２つのローラに巻回され、移動手段の駆動部により少なくとも２つのローラの一方を回転駆動することによって、例えば、バイオフィルタが一方のローラ側から他方のローラ側に向かって風通路の上流に面する側を移動し、さらに他方のローラ側から一方のローラ側に向かって下流側に面する側を移動して、２つのローラ間を周回する(なお、バイオフィルタは、下流側に面する側から上流側に面する側に移動して、ローラ間を周回してもよい)。
【００１６】
したがって、上記バイオフィルタは、風通路内において上流に面する側と下流に面する側が２重の構造で配置されるので、ウィルスを不活性化する能力が向上する。また、例えばバイオフィルタの風通路に面していない部分を加湿することにより、加湿されたバイオフィルタの領域が連続して２つのローラ間を周回するので、バイオフィルタ全体に効率よく水分を補充することができる。
【発明の効果】
【００１７】
以上より明らかなように、この発明のフィルタ装置によれば、調湿素材を用いて形成されたバイオフィルタを、移動手段を用いて少なくとも風通路に面する部分が移動可能な構成とすることによって、効果的にかつ確実にウィルスを不活性化することができる。
【００１８】
また、一実施形態のフィルタ装置によれば、バイオフィルタ少なくとも一部の領域を加湿手段により加湿することによって、バイオフィルタの調湿素材に水分を補給することによって、免疫反応に不可欠な水分をバイオフィルタに保つことができ、より効果的にウィルスを不活性化することができる。
【００１９】
また、一実施形態のフィルタ装置によれば、風通路外においてバイオフィルタの他の部分を加湿手段により加湿することにより、バイオフィルタの調湿素材に水分を補給するので、調湿素材に水分が保たれたバイオフィルタの部分を風通路外から風通路に面するように移動手段により移動させることによって、より効果的にウィルスを不活性化することができる。
【００２０】
また、一実施形態のフィルタ装置によれば、上記風通路外に配置された加湿空間に収容されたバイオフィルタの部分を加湿手段により加湿することによって、加湿空間内に加湿空気が閉じ込められて高湿度の雰囲気が保たれるので、効果的にバイオフィルタを加湿することができる。
【００２１】
また、一実施形態のフィルタ装置によれば、ベルト形状のバイオフィルタは、２つのローラに巻回され、移動手段の駆動部によって少なくとも２つのローラの一方を回転駆動することによって、風通路内において上流に面する側と下流に面する側が２重の構造で配置されて、ウィルスを不活性化する能力が向上する。また、例えばバイオフィルタの一部を加湿することにより、加湿されたバイオフィルタの領域が連続して送り出されて２つのローラ間を周回するので、バイオフィルタ全体に効率よく水分を補充することができ、さらに効果的にウィルスを不活性化することができる。
【発明を実施するための最良の形態】
【００２２】
以下、この発明のフィルタ装置を図示の実施の形態により詳細に説明する。
【００２３】
（第１実施形態）
図１はこの発明の第１実施形態のフィルタ装置の構成を示す模式図であり、１１はベルト形状のバイオフィルタ、１２,１３は風通路１７を挟むように所定の間隔をあけて配置された略平行な２つのローラ、１４は上記ローラ１３を回転駆動する駆動部、１５は風通路外に配置され、加湿空間Ａを形成する加湿容器、１６は上記加湿容器１５近傍に配置された加湿手段の一例としての超音波加湿方式の加湿装置である。上記ローラ１２,１３と駆動部１４で移動手段を構成している。また、上記風通路１７は、対向する壁面１９Ａと壁面１９Ｂを有し、風通路１７内のバイオフィルタ１１の風下側にファン１８を配置している。
【００２４】
上記バイオフィルタ１１は、インフルエンザウィルスを不活性化するＩgY抗体を用いたものである。また、上記バイオフィルタ１１のフィルタ繊維に調湿素材(ゼオライト,ナイロン,吸水性ポリマなど)を用いることによって、フィルタ繊維に水分を保つことが可能となり、抗体による免疫反応が活性化される。
【００２５】
上記２つのローラ１２,１３のうちの一方のローラ１２は、一方の壁面１９Ａ近傍の非風通路側に配置され、他方のローラ１３は、他方の壁面１９Ｂ近傍の非風通路側に配置されている。そうして、上記駆動部１４によりローラ１３を矢印Ｒ１の方向に回転駆動させることにより、２つのローラ１２,１３に巻回されたバイオフィルタ１１は、一方のローラ１２側から他方のローラ１３側に向かって風通路１７の上流に面する側を移動し、さらに他方のローラ１３側から一方のローラ１２側に向かって下流側に面する側を移動して、２つのローラ１２,１３間を周回する。これにより、上記バイオフィルタ１１は、風通路１７内において上流に面する側と下流に面する側が２重の構造で配置されることになる。
【００２６】
また、上記壁面１９Ａ近傍の非風通路側に配置された加湿容器１５内の加湿空間Ａは、加湿装置１６により加湿されて、加湿空間Ａ内に加湿空気が閉じ込められて高湿度の雰囲気が保たれる。そして、上記加湿空間Ａ内に収容されたバイオフィルタ１１の部分に水分が補給される。これにより、加湿されたバイオフィルタ１１の領域が連続して加湿空間Ａ側から送り出されて、２つのローラ１２,１３間を周回することにより、バイオフィルタ１１全体に効率よく水分を補充する。
【００２７】
上記バイオフィルタ１１では、従来の化学的に不活性化する技術を用いたフィルタ装置に比べて、抗体により一旦不活性化されたウィルスが再び空気中に放出されても再び活性化することはなく、また、ウィルスを不活性化するまでの時間を大幅に短縮できる。
【００２８】
このように、上記構成のフィルタ装置によれば、調湿素材を用いて形成されたバイオフィルタ１１を、移動手段(１２,１３,１４)を用いて風通路１７に面する部分が移動可能な構成とすることによって、免疫反応に不可欠な水分をバイオフィルタ１１に保ちつつ、効果的にかつ確実にウィルスを不活性化することができる。
【００２９】
また、風通路外においてバイオフィルタ１１の一部を加湿装置１６により加湿して、バイオフィルタ１１の調湿素材に水分を補給し、調湿素材に水分が保たれたバイオフィルタ１１の部分を風通路外から風通路１７に面するように移動させることによって、より効果的にウィルスを不活性化することができる。
【００３０】
また、風通路外に配置された加湿空間Ａに収容されたバイオフィルタ１１の部分を加湿装置１６により加湿して、加湿空間Ａ内の高湿度の雰囲気を最適に保つことによって、効果的にバイオフィルタ１１を加湿することができる。
【００３１】
また、ベルト形状のバイオフィルタ１１は、２つのローラ１２,１３に巻回され、駆動部１４によってローラ１３を回転駆動することによって、風通路１７内において上流に面する側と下流に面する側が２重の構造で配置されて、ウィルスを不活性化する能力が向上する。また、加湿空間Ａ内で加湿されたバイオフィルタ１１の領域が連続して加湿空間Ａ側から送り出されて、２つのローラ１２,１３間を周回するので、バイオフィルタ１１全体に効率よく水分を補充することができ、さらに効果的にウィルスを不活性化することができる。
【００３２】
また、上記バイオフィルタ１１が一方のローラ１２側から他方のローラ１３側に向かって風通路１７の上流に面する側を移動し、さらに他方のローラ１３側から一方のローラ１２側に向かって下流側に面する側を移動して、２つのローラ１２,１３間を周回することによって、バイオフィルタ１１の上流側から水分が蒸発して下流側を通過するので、バイオフィルタ１１の上流側と下流側との水分の偏りが少なくなり、水分分布がより均一になる。
【００３３】
（第２実施形態）
図２はこの発明の第２実施形態のフィルタ装置の構成を示す模式図であり、２１はベルト形状のバイオフィルタ、２２,２３は風通路２７を挟むように所定の間隔をあけて配置された略平行な２つのローラ、２４は上記ローラ２３を回転駆動する駆動部、２６は風通路２７内のバイオフィルタ２１の上流側に配置された加湿手段の一例としての超音波加湿方式の加湿装置である。上記ローラ２２,２３と駆動部２４で移動手段を構成している。また、上記風通路２７は、対向する壁面２９Ａと壁面２９Ｂを有し、風通路２７内のバイオフィルタ２１の風下側にファン２８を配置している。
【００３４】
また、上記加湿装置２６は、空気の流れを乱さない抵抗の少ない形状のものを風通路２７内に配置することが好ましく、加湿空気の吹出口のみが風通路２７内に配置され、本体が風通路外に配置されていてもよい。
【００３５】
上記２つのローラ２２,２３のうちの一方のローラ２２は、一方の壁面２９Ａ近傍の非風通路側に配置され、他方のローラ２３は、他方の壁面２９Ｂ近傍の非風通路側に配置されている。そうして、上記駆動部２４によりローラ２３を矢印Ｒ２の方向に回転駆動させることにより、２つのローラ２２,２３に巻回されたバイオフィルタ２１は、一方のローラ２２側から他方のローラ２３側に向かって風通路２７の上流に面する側を移動し、さらに他方のローラ２３側から一方のローラ２２側に向かって下流側に面する側を移動して、２つのローラ２２,２３間を周回する。これにより、上記バイオフィルタ２１は、風通路２７内において上流に面する側と下流に面する側が２重の構造で配置されることになる。
【００３６】
また、上記加湿装置２６によりバイオフィルタ２１の一部が加湿されて水分が補給される。これにより、加湿されたバイオフィルタ２１の領域が連続して送りだされて、２つのローラ２２,２３間を周回することにより、バイオフィルタ２１全体に効率よく水分を補充する。
【００３７】
このように、上記構成のフィルタ装置によれば、調湿素材を用いて形成されたバイオフィルタ２１を、移動手段(２２,２３,２４)を用いて風通路２７に面する部分が移動可能な構成とすることによって、効果的にかつ確実にウィルスを不活性化することができる。
【００３８】
また、ベルト形状のバイオフィルタ２１は、２つのローラ２２,２３に巻回され、駆動部２４によってローラ２３を回転駆動することによって、風通路２７内において上流に面する側と下流に面する側が２重の構造で配置されて、ウィルスを不活性化する能力が向上すると共に、加湿装置２６により加湿されたバイオフィルタ２１の領域が連続して送り出されて、２つのローラ２２,２３間を周回するので、バイオフィルタ２１全体に効率よく水分を補充することができ、さらに効果的にウィルスを不活性化することができる。
【００３９】
（第３実施形態）
図３はこの発明の第３実施形態のフィルタ装置の構成を示す模式図であり、３１はベルト形状のバイオフィルタ、３２,３３は風通路３７を挟むように所定の間隔をあけて配置された略平行な２つのローラ、３４Ａ,３４Ｂは上記ローラ３２,３３を夫々回転駆動する駆動部、３５は加湿空間Ｂを形成する加湿容器、３６は上記加湿容器３５近傍に配置された加湿手段の一例としての超音波加湿方式の加湿装置である。上記ローラ３２,３３と駆動部３４Ａ,３４Ｂで移動手段を構成している。また、上記風通路３７は、対向する壁面３９Ａと壁面３９Ｂを有し、風通路３７内のバイオフィルタ３１の風下側にファン３８を配置している。
【００４０】
上記２つのローラ３２,３３のうちの一方のローラ３２は、一方の壁面３９Ａ近傍の非風通路側に配置され、他方のローラ３３は、他方の壁面３９Ｂ近傍の非風通路側に配置されている。上記２つのローラ３２側の壁面３９Ａに設けられた開口部４０Ａにローラ４３を配置している。また、上記壁面３９Ｂ近傍の非風通路側に配置されたローラ３３は、円筒状のロールケース４１内に配置され、そのロールケース４１内においてローラ３３にバイオフィルタ３１の一端がロール状に巻回されている。そして、壁面３９Ｂに設けられた開口部４０Ｂをバイオフィルタ３１が通過し、ロールケース４１には、バイオフィルタ３１を出し入れするための出入口部４２が設けられている。上記出入口部４２は、ロールケース４１内に外気が進入しないシール構造にすることにより、ロールケース４１内のバイオフィルタ３１のロール部３１aの抗体の消費を防止できる。
【００４１】
上記駆動部３４Ａ,３４Ｂによりローラ３２,３３を回転駆動させることにより、２つのローラ３２,３３に巻回されたバイオフィルタ３１は、ローラ３２とローラ３３との間をローラ４３を介して移動する。
【００４２】
また、上記壁面３９Ａ近傍の非風通路側に配置された加湿容器３５内の加湿空間Ｂは、加湿装置３６により加湿されて、加湿空間Ｂ内に加湿空気が閉じ込められて高湿度の雰囲気が保たれる。そして、上記加湿空間Ｂ内に収容されたバイオフィルタ３１の部分に水分が補給される。そうして、上記駆動部３４Ａ,３４Ｂによりローラ３２,３３を回転駆動させて、加湿されたバイオフィルタ３１の領域を２つのローラ３２,３３間を移動させることにより、バイオフィルタ３１の風通路３７に面する領域に効率よく水分を補充する。
【００４３】
詳しくは、上記駆動部３４Ａ,３４Ｂによりローラ３２,３３を回転駆動させることにより、加湿容器３５内のローラ３２に、風通路３７に面する分のバイオフィルタ３１を巻き取った後、加湿装置３６で加湿しながらバイオフィルタ３１を風通路３７に面する分だけ引き出すことにより、バイオフィルタ３１の風通路３７に面する領域が加湿された状態となり、抗体による免疫反応を活性化する。そうして、バイオフィルタ３１の巻き取りと引き出しを加湿しながら繰り返すことにより、ウィルスを不活性化する能力を維持し、用いたバイオフィルタ３１の領域の抗体が消費されて能力が低下した場合は、ロールケース４１内のロール部３１aから風通路３７に面する分だけバイオフィルタ３１を新たに引き出して、上記と同様の巻き取りと引き出しを加湿しながら繰り返す。
【００４４】
このように、上記構成のフィルタ装置によれば、調湿素材を用いて形成されたバイオフィルタ３１を、移動手段(３２,３３,３４Ａ,３４Ｂ)を用いて風通路３７に面する部分が移動可能な構成とすることによって、免疫反応に不可欠な水分をバイオフィルタ３１に保ちつつ、効果的にかつ確実にウィルスを不活性化することができる。
【００４５】
また、風通路外においてバイオフィルタ３１の一部を加湿装置３６により加湿して、バイオフィルタ３１の調湿素材に水分を補給し、調湿素材に水分が保たれたバイオフィルタ３１の部分を風通路外から風通路３７に面するように移動させることによって、より効果的にウィルスを不活性化することができる。
【００４６】
また、風通路外に配置された加湿空間Ｂに収容されたバイオフィルタ３１の部分を加湿装置３６により加湿して、加湿空間Ｂ内の高湿度の雰囲気を最適に保つことによって、効果的にバイオフィルタ３１を加湿することができる。
【００４７】
また、ベルト形状のバイオフィルタ３１の両端は、２つのローラ３２,３３に巻回され、駆動部３４Ａ,３４Ｂによってローラ３２,３３を回転駆動することによって、加湿されたバイオフィルタ３１の領域が２つのローラ１２,１３間を移動するので、風通路３７に面するバイオフィルタ３１の領域に効率よく水分を補充することができ、さらに効果的にウィルスを不活性化することができる。
【００４８】
（第４実施形態）
図４はこの発明の第４実施形態のフィルタ装置の構成を示す模式図であり、この第４実施形態のフィルタ装置は、加湿容器がないことと加湿装置の配置を除いて第３実施形態のフィルタ装置と同一の構成をしており、同一構成部は同一参照番号を付している。
【００４９】
図４において、３１はベルト形状のバイオフィルタ、３２,３３は風通路３７を挟むように所定の間隔をあけて配置された略平行な２つのローラ、３４Ａ,３４Ｂは上記ローラ３２,３３を夫々回転駆動する駆動部、５０は加湿通路３７内のバイオフィルタ３１の上流側に配置された加湿手段の一例としての超音波加湿方式の加湿装置である。上記ローラ３２,３３と駆動部３４Ａ,３４Ｂで移動手段を構成している。また、上記風通路３７は、対向する壁面３９Ａと壁面３９Ｂを有し、風通路３７内のバイオフィルタ３１の風下側にファン３８を配置している。
【００５０】
また、上記加湿装置５０は、空気の流れを乱さない抵抗の少ない形状のものを風通路３７内に配置することが好ましく、加湿空気の吹出口のみが風通路２７内に配置され、本体が風通路外に配置されていてもよい。
【００５１】
上記２つのローラ３２,３３のうちの一方のローラ３２は、一方の壁面３９Ａ近傍の非風通路側に配置され、他方のローラ３３は、他方の壁面３９Ｂ近傍の非風通路側に配置されている。上記２つのローラ３２側の壁面３９Ａに設けられた開口部４０Ａにローラ４３を配置している。また、上記壁面３９Ｂ近傍の非風通路側に配置されたローラ３３は、円筒状のロールケース４１内に配置され、そのロールケース４１内においてローラ３３にバイオフィルタ３１の一端がロール状に巻回されている。そして、壁面３９Ｂに設けられた開口部４０Ｂをバイオフィルタ３１が通過し、ロールケース４１には、バイオフィルタ３１を出し入れするための出入口部４２が設けられている。上記出入口部４２は、ロールケース４１内に外気が進入しないシール構造にすることにより、ロールケース４１内のバイオフィルタ３１のロール部３１aの抗体の消費を防止できる。
【００５２】
上記駆動部３４Ａ,３４Ｂによりローラ３２,３３を回転駆動させることにより、２つのローラ３２,３３に巻回されたバイオフィルタ３１は、ローラ３２とローラ３３との間をローラ４３を介して移動する。
【００５３】
また、上記風通路３７の上流側に配置された加湿装置５０により加湿されて、バイオフィルタ３１の一部の領域に水分が補給される。そうして、上記駆動部３４Ａ,３４Ｂによりローラ３２,３３を回転駆動させて、加湿されたバイオフィルタ３１の領域を２つのローラ３２,３３間を移動させることにより、バイオフィルタ３１の風通路３７に面する領域に効率よく水分を補充する。
【００５４】
詳しくは、上記駆動部３４Ａ,３４Ｂによりローラ３２,３３を回転駆動させることにより、一方のローラ３２に、風通路３７に面する分のバイオフィルタ３１を巻き取った後、加湿装置５０で加湿しながらバイオフィルタ３１を風通路３７に面する分だけ引き出すことにより、バイオフィルタ３１の風通路３７に面する領域が加湿された状態となり、抗体による免疫反応を活性化する。そうして、バイオフィルタ３１の巻き取りと引き出しを加湿しながら繰り返すことにより、ウィルスを不活性化する能力を維持し、用いたバイオフィルタ３１の領域の抗体が消費されて能力が低下した場合は、ロールケース４１内のロール部３１aから風通路３７に面する分だけバイオフィルタ３１を新たに引き出して、上記と同様の巻き取りと引き出しを加湿しながら繰り返す。
【００５５】
このように、上記構成のフィルタ装置によれば、調湿素材を用いて形成されたバイオフィルタ３１を、移動手段(３２,３３,３４Ａ,３４Ｂ)を用いて風通路３７に面する部分が移動可能な構成とすることによって、免疫反応に不可欠な水分をバイオフィルタ３１に保ちつつ、効果的にかつ確実にウィルスを不活性化することができる。
【００５６】
また、ベルト形状のバイオフィルタ１７の両端は、２つのローラ３２,３３に巻回され、駆動部３４Ａ,３４Ｂによってローラ３２,３３を回転駆動することによって、加湿装置５０により加湿されたバイオフィルタ３１の領域が２つのローラ３２,３３間を移動するので、風通路３７に面するバイオフィルタ３１の領域に効率よく水分を補充することができ、さらに効果的にウィルスを不活性化することができる。
【００５７】
上記第１〜第４実施形態では、インフルエンザウィルスを不活性化するＩgY抗体を用いたバイオフィルタを利用したフィルタ装置について説明したが、バイオフィルタはこれに限らず、免疫反応を利用してウィルスを不活性化する抗体を用いたものであればよい。
【００５８】
また、上記第１〜第４実施形態では、加湿手段として超音波加湿方式の加湿装置１６,２６,３６,５０を用いたが、加湿手段はこれに限らず、ヒータ加湿方式や無給水加湿方式等の加湿装置を用いてもよいのは勿論である。
【００５９】
また、この発明のフィルタ装置は、空気調和機や空気清浄機等に適用することができ、空気中のウィルスを除去する様々な分野に適用することが可能である。
【図面の簡単な説明】
【００６０】
【図１】図１はこの発明の第１実施形態のフィルタ装置の構成を示す模式図である。
【図２】図２はこの発明の第２実施形態のフィルタ装置の構成を示す模式図である。
【図３】図３はこの発明の第３実施形態のフィルタ装置の構成を示す模式図である。
【図４】図４はこの発明の第４実施形態のフィルタ装置の構成を示す模式図である。
【符号の説明】
【００６１】
１１,２１,３１…バイオフィルタ
１２,１３,２２,２３,３２,３３,４３…ローラ
１４,２４,３４Ａ,３４Ｂ…駆動部
１５,３５…加湿容器
１６,２６,３６,５０…加湿装置
１７,２７,３７…風通路
１８,２８,３８…ファン
１９A,１９B,２９A,２９B,３９A,３９B…壁面
３１a…ロール部
４１…ロールケース
Ａ,Ｂ…加湿空間
【図１】
2005342595.tif 000003
【図２】
2005342595.tif 000004
【図３】
2005342595.tif 000005
【図４】
2005342595.tif 000006